(57)【要約】【課題】化粧板の取り替えが容易にでき、取り替え後の化粧板の固定安定性に優れる収納家具を提供すること。【解決手段】化粧パネル３を支持する化粧パネル収納部１１を備える収納家具本体１と、化粧パネル３と係止するパネル係止部２１と、収納家具本体の底板に係止する係止爪を有する本体係止部２２を備えるストッパー部材２と、パネル係止部２１が係止する第１係止部３１を底面に有し、化粧パネル収納部１１に収納される化粧パネル３と、を備える収納家具１０であって、化粧パネル収納部１１の下部横部材１１２には、パネル係止部が通る第１貫通孔１２が形成され、収納家具本体の底板１５には、本体係止部２２が通る第２貫通孔１３が形成され、ストッパー部材２は、係止爪と第２貫通孔１３との係止により固定され、化粧パネル３は、パネル係止部２１と第１係止部３１の係止により固定される。【選択図】図１
2018122024.tif 000002
【特許請求の範囲】
【請求項１】
化粧パネルを上下で支持する上部横部材と下部横部材を有する化粧パネル収納部を備える収納家具本体（Ａ）と、
化粧パネルと係止するパネル係止部と、収納家具本体の底板の第２貫通孔に係止する挿入方向と直交する方向に延びる左右一対の係止爪を有する本体係止部を備えるストッパー部材（Ｂ）と、
該パネル係止部が係止する第１係止部を底面に有し、該化粧パネル収納部に収納される化粧パネル（Ｃ）と、を備える収納家具であって、
該下部横部材には、該パネル係止部が通る第１貫通孔が形成され、
該収納家具本体の底板には、該係止爪が係止する第２貫通孔が形成され、
該ストッパー部材は、該係止爪と該第２貫通孔との係止により固定され、該化粧パネルは、該パネル係止部と該第１係止部の係止により固定されることを特徴とする収納家具。
【請求項２】
該化粧パネルの上面には、第２係止部が形成され、該上部横部材の該化粧パネル側の面には、該第２係止部が係止する第３係止部が形成されたことを特徴とする請求項１記載の収納家具。
【請求項３】
該収納家具本体は、前方側板を有し、該第２貫通孔は、該前方側板の後方である収納側に形成されることを特徴とする請求項１記載の収納家具。
【請求項４】
該第１係止部は、第１横溝であり、該パネル係止部は、該第１横溝の凹状断面に対応する突起状断面の突起であることを特徴とする請求項１記載の収納家具。
【請求項５】
該第２係止部は、長手方向に連続する第２横溝であり、該第３係止部は、該第２横溝の凹状断面に対応する突起状断面の突起であることを特徴とする請求項２記載の収納家具。
【請求項６】
該ストッパー部材は、基台上に、該パネル係止部と該本体係止部を前後並びで形成され、該パネル係止部は、該本体係止部より前方に位置することを特徴とする請求項１記載の収納家具。
【請求項７】
該本体係止部は、逆Ｕ字となるリング状樹脂突起の２つの横並びのものであり、左右一対の係止爪の一方は、一方の樹脂突起の外側に形成され、左右一対の係止爪の他方は、他方の樹脂突起の外側に形成されることを特徴とする請求項６記載の収納家具。
【請求項８】
該係止爪は、リング状樹脂突起本体から外側に延びる下方下り傾斜の上方傾斜部と、該上方傾斜部と連続する上方に上り傾斜の下方傾斜部とを有し、該下方傾斜部の傾斜面と該第２貫通孔の上方の角が当接することを特徴とする請求項１記載の収納家具。
【請求項９】
該収納家具の底板は、前方側で底が上がっており、当該上げ底部に、該第２貫通孔が形成されていることを特徴とする請求項１記載の収納家具。
【請求項１０】
該収納家具は、天板なしのチェストであることを特徴とする請求項１記載の収納家具。 
【発明の詳細な説明】
【技術分野】
【０００１】
本発明は、化粧板により高級感を付与でき、且つ化粧板の取り外しが自在で、化粧板の模様替えも容易となる収納家具に関する。
【背景技術】
【０００２】
従来、例えば、チェストなどの収納家具としては、軽さと経済性を重視することから、底板と４つの側板からなる天板なしの樹脂製品が代表例として挙げられる。これらの収納家具は、例えば、多段として基台に組み込まれ、４つの側板内、前側板を除く３つの側板は、隠れるものの、透明又は半透明部材である前方側板は、使用者側に露出している。これにより、衣類などの収納品が外側から見え、家庭用とは言え、見栄えのよいものではない。近年、これらの収納家具においても、意匠性の高い、高級感のあるものが要求されている。
【０００３】
また、整理棚などの収納家具において、化粧板を取り付けた家具も知られている。例えば、特開２００６-１８１１３５号公報には、収納家具の少なくとも一方の側板の外面に、芯材の少なくとも一方の面に化粧処理が施された化粧パネルを取り付ける収納家具の化粧パネル取付構造であって、上記化粧パネルが、上記収納家具の側板の内側からねじ込まれるねじ部材と、上記側板の外面との間に介在する両面テープとで取り付けられていることを特徴とする収納家具の化粧パネル取付構造が開示されている。
【先行技術文献】
【特許文献】
【０００４】
【特許文献１】特開２００６-１８１１３５号公報
【発明の開示】
【発明が解決しようとする課題】
【０００５】
しかしながら、従来の化粧パネルを取り付けた収納家具は、収納家具本体に化粧パネルが強く固定されており、容易には外せない。この場合、商品の売れ行きは、化粧パネルの化粧柄が影響することがある。すなわち、収納家具の機能が満足できても、化粧板が気に入らないため、購入を控えることがある。この場合、収納家具の種類を増やすことになるが、これでは、管理個数などの工程が増え、コストアップにならざるを得ない。そこで、化粧板の取り替えが容易にでき、取り替え後の化粧板の固定が安定した収納家具の提供が待たれていた。
【０００６】
すなわち、本発明の目的は、化粧板の取り替えが容易にでき、取り替え後の化粧板の固定安定性に優れる収納家具を提供することにある。
【課題を解決するための手段】
【０００７】
すなわち、本発明は、上記従来の課題を解決するものであり、化粧パネルを上下で支持する上部横部材と下部横部材を有する化粧パネル収納部を備える収納家具本体（Ａ）と、化粧パネルと係止するパネル係止部と、収納家具本体の底板の第２貫通孔に係止する挿入方向と直交する方向に延びる左右一対の係止爪を有する本体係止部を備えるストッパー部材（Ｂ）と、該パネル係止部が係止する第１係止部を底面に有し、該化粧パネル収納部に収納される化粧パネル（Ｃ）と、を備える収納家具であって、該下部横部材には、該パネル係止部が通る第１貫通孔が形成され、該収納家具本体の底板には、該係止爪が係止する第２貫通孔が形成され、該ストッパー部材は、該係止爪と該第２貫通孔との係止により固定され、該化粧パネルは、該パネル係止部と該第１係止部の係止により固定されることを特徴とする収納家具を提供するものである。
【０００８】
また、本発明は、該化粧パネルの上面には、第２係止部が形成され、該上部横部材の該化粧パネル側の面には、該第２係止部が係止する第３係止部が形成されたことを特徴とする前記収納家具を提供するものである。
【０００９】
また、本発明は、該収納家具本体は、前方側板を有し、該第２貫通孔は、該前方側板の後方である収納側に形成されることを特徴とする前記収納家具を提供するものである。
【００１０】
また、本発明は、該第１係止部は、第１横溝であり、該パネル係止部は、該第１横溝の凹状断面に対応する突起状断面の突起であることを特徴とする前記収納家具を提供するものである。
【００１１】
また、本発明は、該第２係止部は、長手方向に連続する第２横溝であり、該第３係止部は、該第２横溝の凹状断面に対応する突起状断面の突起であることを特徴とする前記収納家具を提供するものである。
【００１２】
また、本発明は、該ストッパー部材は、基台上に、該パネル係止部と該本体係止部を前後並びで形成され、該パネル係止部は、該本体係止部より前方に位置することを特徴とする前記収納家具を提供するものである。
【００１３】
また、本発明は、該本体係止部は、逆Ｕ字となるリング状樹脂突起の２つの横並びのものであり、左右一対の係止爪の一方は、一方の樹脂突起の外側に形成され、左右一対の係止爪の他方は、他方の樹脂突起の外側に形成されることを特徴とする前記収納家具を提供するものである。
【００１４】
また、本発明は、該係止爪は、リング状樹脂突起本体から外側に延びる下方下り傾斜の上方傾斜部と、該上方傾斜部と連続する上方に上り傾斜の下方傾斜部とを有し、該下方傾斜部の傾斜面と該第２貫通孔の上方の角が当接することを特徴とする前記収納家具を提供するものである。
【００１５】
また、本発明は、該収納家具の底板は、前方側で底が上がっており、当該上げ底部に、該第２貫通孔が形成されていることを特徴とする前記収納家具を提供するものである。
【００１６】
また、本発明は、該収納家具は、天板なしのチェストであることを特徴とする前記収納家具を提供するものである。
【発明の効果】
【００１７】
本発明によれば、化粧パネルは、前方に位置する化粧パネル収納部に、別途部材のストッパー部材により係止される。このストッパー部材は、化粧パネルを係止すると共に、収納家具本体の底板の貫通孔に固定されるため、化粧パネルの固定安定性に優れる。また、ストッパー部材の取り外しは、手で係止爪を解除して下方に引き抜くことで行なえ、簡単に取り外しができる。このため、化粧パネルの交換が容易である。
【図面の簡単な説明】
【００１８】
【図１】本発明の実施の形態における収納家具の分解斜視図である。
【図２】図１の収納家具を構成する収納家具本体の底面図である。
【図３】図１の収納家具を構成する化粧パネルの一部を破断して示す斜視図である。
【図４】図３の化粧パネルの側面図である。
【図５】図１の収納家具を構成するストッパー部材の斜視図である。
【図６】図５のストッパー部材の正面図である。
【図７】図５のストッパー部材の側面図である。
【図８】図１の収納家具における化粧パネルの取付方法を説明する図である。
【図９】図１の収納家具における化粧パネルの取付方法を説明する他の図であり、図８の工程の次工程の図である。
【図１０】図１の収納家具における化粧パネルの取付方法を説明する他の図であり、図９の工程の次工程の図である。
【図１１】図１の収納家具における化粧パネルの取付方法を説明する他の図であり、図１０の工程の次工程の図である。
【図１２】図１の収納家具における化粧パネルの取付方法を説明する他の図であり、図１１の工程の次工程の図である。
【図１３】図１２の収納家具を上方且つ後方から前方側へ見た斜視図である。
【図１４】図１３の符号Ｘ部分の拡大図である。
【図１５】図１の収納家具における化粧パネルの取り外し方法を説明する図である。
【図１６】図１の収納家具における化粧パネルの取り外し方法を説明する他の図であり、図１５の工程の次工程の図である。
【図１７】図１の収納家具における化粧パネルの取り外し方法を説明する他の図であり、図１６の工程の次工程の図である。
【図１８】ストッパー部材の係止状態を説明する図である。
【図１９】本発明の収納家具を構成するストッパー部材の変形例を示す図である。
【図２０】本発明の収納家具を構成するストッパー部材の他の変形例を示す図である。
【発明を実施するための形態】
【００１９】
次に、本発明の実施の形態における収納家具を図１〜図１７を参照して説明する。明細書中、「前方」は、収納家具の化粧パネル側を言い、「上下」は、収納家具の使用状態における位置を言う。
【００２０】
収納家具１０は、収納家具本体１と、ストッパー部材２と、化粧パネル３から構成されている。収納家具本体１は、化粧パネル３を上下で支持する上部横部材１１１と下部横部材１１２を有する化粧パネル収納部１１を備えていればよく、本例では、天板なしのチェスト（収納ケース）であり、底板１５と、前方側板１１５、後方側板、左右側板の４つの側板を有する。化粧パネル収納部１１は、前方側板１１５の前方側（反収納側）に形成され、上部横部材１１１と下部横部材１１２以外に、更に左右縦部材１１３を有している。
【００２１】
上部横部材１１１は、本例では、長尺状の薄板であり、上部横部材１１１の化粧パネル３側の面１１１ａには、化粧パネル３の第２係止部３２が係止する第３係止部１４が形成されている。第３係止部１４は、本例では、化粧パネル３の上面に形成される長手方向に連続する第２横溝（凹状断面の溝）の断面形状（第２係止部）に対応する突起状断面の突起である。これにより、化粧パネル３は、化粧パネル収納部１１に収納され、第２係止部３２と第３係止部１４の係止関係により、上部側での前後移動が規制される。
【００２２】
下部横部材１１２は、本例では、長尺状の薄板であり、ストッパー部材２のパネル係止部２１が通る第１貫通孔１２が形成されている。第１貫通孔１２は、ストッパー部材２が嵌る箇所に形成されていればよく、本例では、２箇所である（図２参照）。化粧パネル収納部１１の内寸法（第２係止部の突起を除く）は、化粧パネル３の外寸法と略同じである。
【００２３】
収納家具１０の底板１５は、前方側で底が上がっており、この上げ底部１５１に、第２貫通孔１３が形成されている。部分的な上げ底とすることで、ストッパー部材２が挿入し易くなり、且つ収納部分の容積を大きく減らすことがない。上げ底部１５１の前方端には、前方側板１１５が形成されている。すなわち、上げ底部１５１の前方端は、前方側板１１５の下端部に接続している。これにより、第１貫通孔１２と第２貫通孔１３は、前方側板１１５を挟んで、前後に位置すると共に、近接位置にある。このため、ストッパー部材２の前後方向の長さが大きくなることを抑制できる。
【００２４】
化粧板３は、正面視が長方形状で所定の厚みを有する板状部材であり、その上面には、幅方向の中央に、長手方向に連続する第２横溝（凹状溝）（第２係止部）３２が形成され、その下面には、幅方向の中央に、長手方向に連続する第１横溝（凹状溝）（第１係止部）３１が形成されている。凹状溝は、四角断面形状の溝である。第１係止部３１は、ストッパー部材２のパネル係止部２１が係止し、第２係止部３２は、化粧パネル収納部１１の第３係止部１４が係止する。
【００２５】
ストッパー部材２は、収納家具本体１の前方側の裏面から上方に挿入することで、化粧板３を固定すると共に、収納家具本体１に固定されるものである。ストッパー部材２は、化粧パネル３と係止するパネル係止部２１と、収納家具本体１の底板１５の第２貫通孔１３に係止する挿入方向と直交する方向に延びる左右一対の係止爪２５、２５を有する本体係止部２２を備える。
【００２６】
ストッパー部材２は、基台２３上に、パネル係止部２１と本体係止部２２を前後並びで形成され、パネル係止部２１は、本体係止部２２の前方に位置する。パネル係止部２１は、基台２３から上方に起立状に延びる突起であり、化粧板３の第１係止部３１の凹状溝に対応する形状を有する。パネル係止部２１は、本例では、左右方向に延びる２つの突起の横並びであるが、これに限定されず、ひとつの突起であってもよい。本体係止部２２は、本例では、逆Ｕ字となるリング状樹脂突起の２つの横並びのものであり、左右一対の係止爪２５、２５の一方は、一方の樹脂突起２２ａの外側に形成され、左右一対の係止爪の他方は、他方の樹脂突起２２ｂの外側に形成されている。
【００２７】
本体係止部２２のリング状樹脂突起は、台座２４の上に形成されている。これにより、樹脂突起に強度を付与することができる。２つの横並びのリング状樹脂突起の左右方向の外寸法（係止爪を除く）は、第２貫通孔１３の左右方向長さの内寸法と略同じである。ストッパー部材２の左右一対の係止爪２５、２５の位置は、ストッパー部材２が装着された状態において、第２貫通孔１３の直上にある。本体係止部２２は、２つの横並びのリング状樹脂突起となっているため、左右方向に作用力を与えると弾性変形する。すなわち、２つの横並びのリング状樹脂突起を手で摘み、内側に寄せることで、左右一対の係止爪２５、２５も内側に僅かに寄り、第２貫通孔１３から外すことが可能となる。
【００２８】
係止爪２５は、リング状樹脂突起本体２２１から外側に延びる下方下り傾斜の上方傾斜部２５１と、上方傾斜部２５１と連続する上方に上り傾斜の下方傾斜部２５２とを有し、下方傾斜部２５２の傾斜面と第２貫通孔１３の上方の角１５２が当接している（図１８）。すなわち、係止爪２５は、第２貫通孔１３の角部に対し第２貫通孔１３の内側から外側に強く押し付けられている。これにより、ストッパー部材２は、底板１５と強く当たることになり、ガタツキがなくなる。
【００２９】
次に、収納家具１０の組み付け方法および化粧パネル３と取り外し方法について、図８〜図１７を参照して説明する。化粧パネル３と化粧パネル収納部１１とを対峙させる。この際、化粧パネル３の裏面が化粧パネル収納部１１側とする（図８）。次いで、化粧パネル収納部１１に対して、化粧パネル３を上部側（頭）から挿入する（図９）。すなわち、化粧パネル収納部１１の第３係止部１４と化粧パネル３の第２係止部３２とを係止させ、次いで下部側を化粧パネル収納部１１へ押し込み、化粧パネル３を化粧パネル収納部１１に仮装着させる（図１０）。この際、第１係止部３１と下部横部材１１２の第１貫通孔１２とは対応している。
【００３０】
次いで、ストッパー部材２を準備する。ストッパー部材２は、パネル係止部２１が前方側に、本体係止部２２が後方側となるような位置姿勢において、前方から底板１５下の空間に移動させる（図１１）。次いで、ストッパー部材２を収納家具本体１に挿入、固定する。この際、ストッパー部材２のパネル係止部２１は、第１貫通孔１２を通って、化粧パネル３の第１係止部３１に係止し、ストッパー部材２の本体係止部２２は、第２貫通孔１３を通り、係止爪２５は、第２貫通孔１３に係止する（図１２〜図１３）。
【００３１】
ストッパー部材２の本体係止部２２は、係止爪２５を除く左右方向長さは、第２貫通孔１３の内寸法と同じ又はそれよりやや少であるあるため、係止爪２５より上部は、第２貫通孔１３を円滑に通る。更に、ストッパー部材２を上方に挿入すると、上方傾斜部２５１の傾斜面が第２貫通孔１３を円滑に通ることができず、更に押し込むことで、リング状樹脂突起本体は、内側に撓み、係止爪２５は第２貫通孔１３を通過する。係止爪２５が第２貫通孔１３を通過すると、リング状樹脂突起本体は、元の形状に復元する。このため、係止爪２５は、第２貫通孔１３に係止することになる。
【００３２】
図１８に示すように、係止爪２５と第２貫通孔１３の係止において、係止爪２５の下方傾斜部２５２の傾斜面は、第２貫通孔１３の上方の角に当接している。これにより、リング状樹脂突起本体は元の形状に復元する復元途中にあり、第２貫通孔１３と強く、係止することになる。
【００３３】
収納家具１０において、ストッパー部材２は、底板１５の裏側に位置しており、使用者側からは見えない。また、本体係止部２２は、収納家具本体１の前板１１の裏面（収納部側）に位置しており、使用者からは見え難い位置にある。このため、化粧パネル３は、前板に接着固定されているように見え、意匠性も高い。
【００３４】
次に、化粧パネル３を交換する工程を図１５〜図１７を参照して説明する。化粧パネル３を取り外すには、先ず、ストッパー部材２を収納家具本体１から取り外す。ストッパー部材２の取り外しは、前方側板１１５の後方で、収納側に突出している２つのリング状樹脂突起本体２２を手で摘み、第２貫通孔１３の左右の内寸法より少となるように、左右方向の内側に作用力を与える。この状態において、ストッパー部材２を押し下げれば、ストッパー部材２は、収納家具本体１から円滑に取り外すことができる（図１５）。ストッパー部材２を、収納家具本体１から取り外すことで、ストッパー部材２のパネル係止部２１と化粧パネル３の第１係止部３１の係止が解かれる。
【００３５】
次いで、化粧パネル収納部１１に収納されている化粧パネル３を取り外す。取り外し方法は、限定されず、例えば第１貫通孔１２に指を入れ、化粧パネル３を手前に外す方法であってもよい（図１７）。このように、収納家具本体１から、ストッパー部材２と化粧パネル３を簡単に取り外すことができる。次いで、新たな化粧パネルを交換する。新たな化粧パネルの取り付け方法は、前述の通りである（図８〜図１４）。
【００３６】
本発明において、収納家具としては、チェスト（収納ケース）、収納箱、タンスの引き出し等が挙げられる。また、化粧パネル３としては、表面が絵柄模様、色彩模様のもの、表面に文字等が書けるホワイトボードおよび電子板が挙げられる。
【００３７】
本発明において、化粧パネル３の第２係止部は、任意の構成要素である。化粧パネル３に第２係止部を形成する場合、第２係止部と第３係止部は上記実施の形態例に限定されず、第３係止部１４が、凹状断面の溝であって、第２係止部が、凹状断面の溝に対応する突起状の断面形状のものであってもよい。また、凹状断面の溝は連続溝に限定されず、左右方向に一部が切れた部分溝であってもよい。この場合、突起状断面の突起は、部分溝に対応する位置に形成される。
【００３８】
収納家具１０において、第１係止部３１は、左右方向に連続する凹状断面の溝であるが、これに限定されず、左右方向に一部が切れた部分溝であってもよい。この部分溝は、少なくとも、ストッパー部材２が嵌る位置にあればよい。
【００３９】
ストッパー部材２は、本例の２個に限定されず、１個又は３個以上であってもよい。ストッパー部材２は、上記実施の形態例に限定されず、例えば、図１９に示すようなストッパー部材２ａであってもよい。図１９において、図５〜図７と同一構成要素には同一符号を付して、その説明を省略し、異なる点について、主に説明する。すなわち、図１９ストッパー部材２ａにおいて、図５〜図７のストッパー部材２と異なる点は、基台２３上に形成される本体係止部は、１個として、且つ側面視が略Ｍ字形状の突起２２ｃとした点である。このようなストッパー部材２ａであっても、ストッパー部材２と同様の作用効果を奏する。
【００４０】
ストッパー部材２は、上記実施の形態例に限定されず、例えば、図２０に示すようなストッパー部材２ｂであってもよい。図２０において、図５〜図７と同一構成要素には同一符号を付して、その説明を省略し、異なる点について、主に説明する。すなわち、図２０ストッパー部材２ｂにおいて、図５〜図７のストッパー部材２と異なる点は、基台２３上に形成される本体係止部は、１個として、且つ側面視が上に凸の略逆Ｕ字形状の突起を３つとした突起２２ｄである。ストッパー部材２ｂにおいて、隣接する２つの略逆Ｕ字形状の突起は、略逆Ｕ字形状の凹部突起により連結されている。このようなストッパー部材２ｂであっても、ストッパー部材２と同様の作用効果を奏する。
【００４１】
本発明において、収納家具本体１の下部横部材１１２は、上記実施の形態例のような、板状体に貫通孔が形成されたものに限定されず、貫通孔が形成された係止枠であってもよい。このような係止枠としては、貫通孔の周囲を前面板と３つの棧部材で囲む四角形枠体が挙げられる。３つの棧部材は左右棧部材と前方棧部材である。
【産業上の利用可能性】
【００４２】
収納家具１０によれば、化粧パネル３は、前方に位置する化粧パネル収納部１１に、別途部材のストッパー部材２により係止される。このストッパー部材２は、化粧パネル３を係止すると共に、収納家具本体１の底板１５に固定されるため、化粧パネル３の固定安定性に優れる。また、ストッパー部材２の取り外しは、係止爪２５の係止を解除して引き抜くことで行なえ、簡単に取り外しができる。このため、化粧パネル３の交換が容易である。このように、使用者には、高級感と模様替えの楽しさを付与でき、製造販売者は、比較的低コストで、新たな需要を掘り起こすことができる。
【符号の説明】
【００４３】
１    収納家具本体
２、２ａ、２ｂ    ストッパー部材
３    化粧パネル
１０    収納家具
１１    化粧パネル収納部
１２    第１貫通孔
１３    第２貫通孔  
１４    第３係止部  
１５    底板
２１    パネル係止部
２２、２２ａ〜２２ｄ    本体係止部
２５    係止爪
３１    第１係止部
３２    第２係止部
１１１    上部横部材
１１２    下部横部材
１１５    前方側板
１１３    左右縦部材
【図１】
2018122024.tif 000003
【図２】
2018122024.tif 000004
【図３】
2018122024.tif 000005
【図４】
2018122024.tif 000006
【図５】
2018122024.tif 000007
【図６】
2018122024.tif 000008
【図７】
2018122024.tif 000009
【図８】
2018122024.tif 000010
【図９】
2018122024.tif 000011
【図１０】
2018122024.tif 000012
【図１１】
2018122024.tif 000013
【図１２】
2018122024.tif 000014
【図１３】
2018122024.tif 000015
【図１４】
2018122024.tif 000016
【図１５】
2018122024.tif 000017
【図１６】
2018122024.tif 000018
【図１７】
2018122024.tif 000019
【図１８】
2018122024.tif 000020
【図１９】
2018122024.tif 000021
【図２０】
2018122024.tif 000022